(57)【要約】      （修正有）【課題】通常の形態、構造のままで、簡単な付帯具を利用するだけの安価な手法で連結外れを確実に防止できる連結具を提供する。【解決手段】基端環２に連結された基部３から延びたフック部４を備えた本体１０と、基部３内で付勢されて突出しフック部４の先端４ａに圧接し開放部４ｂを閉じる閉じ習性を持ち、基部３の側方に後退操作部５ａが突出する係止ピン５とを備え、これに、弾性部材よりなり基部３にその側方から弾性的に着脱できるよう過半円弧断面部を有して着脱口６ａが側方に開放し、基部３への装着状態では、後退操作部５ａとこれより後退操作側にある基部３上の引っ掛かり部３ａの間で、突っ張って後退操作部５ａを介し係止ピン５の後退を阻止するストッパ６を組み合わせる。【選択図】図１
2010081902.tif 000002
【特許請求の範囲】
【請求項１】
基端環に連結された基部およびこの基部から延びたフック部を備えた本体と、基部内でばね付勢されて突出しフック部の先端に圧接してフック部の開放部を閉じる閉じ習性を持ち、基部の側方に後退操作部が突出している係止ピンとを備えた動物用の連結具において、
弾性部材よりなり基部にその側方から弾性的に着脱できるよう過半円弧断面部を有して着脱口が側方に開放し、基部への装着状態では後退操作部とこれより後退操作側にある基部上の引っ掛かり部の間で突っ張って後退操作部を介し係止ピンの後退を阻止するストッパを組み合わせ備えたことを特徴とする動物用連結具。
【請求項２】
ストッパは、後退操作部との当接端に、後退操作部で基部周方向に係合して基部まわりでのまわり止めをする切り欠き形状部が設けられていることを特徴とする請求項１に記載の動物用連結具。
【請求項３】
係止ピンの後退操作部は、ストッパの当接端と基部との間に挟み込むように係合する切り欠き部を有している請求項１、２のいずれか１項に記載の動物用連結具。
【請求項４】
ストッパは、動物用連結具の一部と索条で連結されていることを特徴とする請求項１〜３のいずれか１項に記載の動物用連結具。
【請求項５】
ストッパは、着脱口の開放縁の一方の一部からの張り出し部にて索条と連結されていることを特徴とする請求項１または２記載の動物用連結具。
【発明の詳細な説明】
【技術分野】
【０００１】
この発明は、主として犬や猫などの動物の首輪、胴輪、係留具などに引き紐や係留紐を連結するのに用いられる動物用連結具に関し、主として首輪、胴輪、係留具に設けられたリングに着脱自在に連結して用いられる。
【背景技術】
【０００２】
このような連結具は用途を問わず一般にナス環と呼ばれるものに属するが、動物用連結具は、特に、図５〜図７に示すように、基端環ａに連結された基部ｂ１およびこの基部ｂ１から延びたフック部ｂ２を備えた本体ｂと、基部ｂ１内でばね付勢されて突出しフック部ｂ２の先端ｂ３に圧接してフック部ｂ２の開放部ｂ４を閉じる閉じ習性を持ち、基部ｂ１の側方に後退操作部ｃ１が突出している係止ピンｃとを備えた基本構成を有している。
【０００３】
このような動物用連結具ｋは、基端環ａを引き紐の先端や図７に示す係留紐ｊの両端に連結して用いられる。係留紐ｊなどに連結された動物用連結具ｋは、係止ピンｃを後退操作して開放部ｂ４を開いた状態で、図７に示す動物に装着した首輪ｄや地中にアンカー部を打ち込むなどした係留具ｆに設けられている連結環ｇ、ｈに引っ掛けた後、係止ピンｃを後退操作から解放することで開放部ｂ４を閉じ連結される。
【０００４】
基端環ａは通常本体ｂの基部ｂ１に回転自在に連結されて、連結部に自由度を与えている。しかし、図５に示すように、フック部ｂ２と連結環ｇ、ｈとの連結部との間にそのような回転自在な自由度はなく、連結環ｇ、ｈ、特に首輪ｄに設けられた連結環ｇも首輪ｄに対し回転自在な自由度はない。これらの連結不自由や、動物の急な動きの変化などが原因して、動物用連結具ｋと連結環ｇなどとの連結部に拗れが発生し、この拗れ状態で動物用連結具ｋの係止ピンｄの後退操作部ｃ１に後退操作側への引っ掛かり力、押動力が不用意に働いて、図６に示すようにフック部ｂ２の開放部ｂ４が開かれフック部ｂ２と連結環ｇなどとの連結が外れてしまうことがときとして生じる。ここで、図６は連結環ｇがフック部ｂ２と首輪ｄのバックルｄ１との間で拗れて自由を失った状態で、張力が加わっているフック部ｂ２の係止ピンｃの後退操作部ｃ１を後退操作側に押動力を及ぼしフック部ｄ２の開放部ｄ４を開いてしまった状態を示している。
【０００５】
このような事態に対応するのに本出願人は、連結環ｇとフック部ｄ２との間に中間リングを連結して連結自由度を高める提案を既にしている（特許文献１参照。）。また、動物用連結具自体の構造を改良する技術も既に知られている（例えば、特許文献２、３参照。）。特許文献２、２に開示の技術は、連結環ｇが拗れても動物用連結具ｋの係止ピンｄの後退操作部ｃ１に後退操作方向に引っ掛かったり、押動力を及ぼさないようにフック部ｄ２および係止ピンｃの形状や設置位置を改良している。
【特許文献１】特開２００６−１４１２０５号公報
【特許文献２】特開２００８−９９６３０号公報
【特許文献３】特開２００８−９９６３１号公報
【発明の開示】
【発明が解決しようとする課題】
【０００６】
しかし、特許文献１が開示する技術では、連結が外れる確率は少なくなるが、回避しきれない問題がある。また、特許文献２、３が開示する技術では、成形や組み立てが困難な特殊製品となってコスト上昇の原因にある。
【０００７】
本発明は、このような問題点に鑑みてなされたもので、通常の形態、構造のままで、簡単な付帯具を利用するだけの安価な手法で連結外れを確実に防止できる動物用連結具を提供することを課題とするものである。
【課題を解決するための手段】
【０００８】
上記のような課題を解決するために、本発明の動物用連結具は、基端環に連結された基部およびこの基部から延びたフック部を備えた本体と、基部内でばね付勢されて突出しフック部の先端に圧接してフック部の開放部を閉じる閉じ習性を持ち、基部の側方に後退操作部が突出している係止ピンとを備えた動物用の連結具において、弾性部材よりなり基部にその側方から弾性的に着脱できるよう過半円弧断面部を有して着脱口が側方に開放し、基部への装着状態では後退操作部とこれより後退操作側にある基部上の引っ掛かり部の間で突っ張って後退操作部を介し係止ピンの後退を阻止するストッパを組み合わせ備えたことを特徴としている。
【０００９】
このような構成では、通常の形態、構造の動物用連結具に組み合わせ備えたストッパを、その弾性を有した下半円弧断面部を利用して本体の基部に側方より弾性的に嵌め付けるだけで、ストッパが基部のまわりで基端側引っ掛かり部と係止ピンの後退操作部との間で突っ張るため、不用意な外力によって係止ピンが後退操作部を伴い後退され、あるいは後退操作部によって後退されるのを阻止する作用が得られる。また、ストッパは基部から側方へ弾性を利用して簡単に取り外すことができ、取り外し状態では前記突っ張りが解除されるので係止ピンを後退操作して連結したり連結を解除したりすることができる。
【００１０】
上記において、さらに、ストッパは、後退操作部との当接端に、後退操作部で基部周方向に係合して基部まわりでのまわり止めをする切り欠き形状部が設けられていることを特徴とすることができる。
【００１１】
このような構成では、上記に加え、さらに、ストッパを本体の基部に装着して、基部のまわりで基端側引っ掛かり部と係止ピンの後退操作部との間で突っ張らせ、係止ピンの後退を阻止するのに、その切り欠き形状部を係止ピンの後退操作部に基部周方向に係合させることで、ストッパは基部まわりに回り止めされて、外力を受けることがあっても周方向に位置ずれしない。
【００１２】
上記において、さらに、係止ピンの後退操作部は、ストッパの当接端と基部との間に挟み込むように係合する切り欠き部を有していることを特徴とすることができる。
このような構成では、上記に加え、さらに、ストッパを本体の基部に装着して、基部のまわりで基端側引っ掛かり部と係止ピンの後退操作部との間で突っ張り、係止ピンの後退を阻止するのに、ストッパは、係止ピンの後退操作部との係合によって本体の基部への装着位置から浮くのを防止される。
【００１３】
上記において、さらに、ストッパは、動物用連結具の一部と索条で連結されていることを特徴とすることができる。
【００１４】
このような構成では、上記に加え、さらに、ストッパが動物用連結具の一部に連結されていることで不用意に単独部品となるのを防止されるし、連結が索条によるので、ストッパを本体の基部に着脱するのを邪魔されない。
【００１５】
上記において、さらに、ストッパは、着脱口の開放縁の一方の一部からの張り出し部にて索条と連結されていることを特徴とすることができる。
【００１６】
このような構成では、上記に加え、さらに、ストッパが本体の基部への着脱域から外れて動物用連結具に連結されるので、動物用連結具との連結部がストッパの本体の基部への着脱によって特別な外力を受けないし、ストッパの索条との連結部が着脱口の開放縁の一方の一部からの張り出し部であることにより、索条との連結部がストッパの本体の基部への着脱を邪魔することはない。
【発明の効果】
【００１７】
本発明の動物用連結具によれば、動物用連結具に組み合わせたストッパを本体の基部に装着するだけで、係止ピンの後退操作部への不用意な外力による後退を阻止して連結が外れるのを防止し、動物の引き連れ状態、係留状態を維持できる。また、ストッパを本体から取り外せば係止ピンを後退操作して連結を解除できる。また、ストッパは本体の基部に対し側方から弾性的に簡単に着脱できるので使用しやすく、かつ通常の形態、構造の動物用連結具に簡単なストッパを組み合わせるだけで安価に実現できる。
【発明を実施するための最良の形態】
【００１８】
以下、本発明の実施の形態につき図面に基づいて説明し、本発明の理解に供する。なお、以下の説明は本発明の具体例であって、特許請求の範囲の記載を限定するものではない。
【００１９】
図１〜図３に本発明の実施の形態に係る動物用連結具１の一例が示されている。この動物用連結具１は、基端環２に連結された基部３およびこの基部３から延びたフック部４を備えた本体１０と、基部３内で図示しないばねで付勢されて突出しフック部４の先端４ａに圧接してフック部４の開放部４ｂを閉じる閉じ習性を持ち、基部３の側方に後退操作部５ａが突出している係止ピン５とを備えている。これに併せ、弾性部材よりなり基部３にその側方から弾性的に着脱できるよう過半円弧断面部を有して着脱口６ａが側方に開放し、基部３への図２、図３で示す装着状態では後退操作部５ａとこれより後退操作側にある基部３上の引っ掛かり部３ａの間で突っ張って後退操作部５ａを介し係止ピン５の後退を阻止するストッパ６をも組み合わせ備えている。
【００２０】
このように、通常の形態、構造の動物用連結具１は、これに組み合わせ備えたストッパ６を、その弾性を有した下半円弧断面部を利用して本体１０の基部３に図１に示す側方より、図２、図３に示すように弾性的に嵌め付けるだけで、ストッパ６が基部３のまわりで基端側引っ掛かり部３ａと係止ピン５の後退操作部５ａとの間で突っ張るため、不用意な外力によって係止ピン５が後退操作部５ａを伴い後退され、あるいは後退操作部５ａによって後退されるのを阻止する作用が得られる。また、ストッパ６は基部３から側方へ弾性を利用して簡単に取り外すことができ、取り外し状態では前記突っ張りが解除されるので係止ピン５を後退操作部５ａにて後退操作してフック部４の開放部４ｂを開き、フック部４を図４に示すように首輪２１のＤ環などの連結部２２や図示しない係留具に連結したり、それらの連結状態を解除したりすることができる。
【００２１】
この結果、動物用連結具１に組み合わせ備えたストッパ６本体１０の基部３に装着するだけで、係止ピン５の後退操作部５ａなどへの不用意な外力による後退を阻止して連結が外れるのを防止し、動物の引き連れ状態、係留状態を維持できる。また、ストッパ６を本体１０から取り外せば係止ピン５を後退操作して連結を解除できる。また、ストッパ６は本体１０の基部３に対し図１に矢印で示すように側方から弾性的に簡単に着脱できるので使用しやすく、かつ通常の形態、構造の動物用連結具１に簡単なストッパ６を組み合わせ備えるだけで安価に実現できる。
【００２２】
ここで、フック部４に繋がる基部３は円柱形であることに対応して、ストッパ６はその外径にほぼ同等の内径を持った下半円弧断面に形成して基部３の直径よりも小さな幅の着脱口６ａを有したものとしてある。これにより、ストッパ６は、基部３に対しその側方から基部３の側周部で着脱口６ａを弾性的に拡幅しながら装着することができ、着脱口６ａが基部３の直径部を越えた時点からストッパ６は着脱口６ａの初期幅までの弾性的な復帰を伴い装着状態に嵌り込み基部３を包み持つ状態となって装着状態に安定し、不用意に脱落しないようになる。また、逆にストッパ６は、基部３の側方へ着脱口６ａの弾性的な基部３の直径部を取り外し側に越えるまでの一時的拡幅を伴い取り外せるようにしている。
【００２３】
この着脱に必要なストッパ６の弾性は、弾性を有する樹脂や金属板でストッパ６を形成すれば簡単に得られるが、場合によっては、ヒンジまわりのばね付勢により閉じ習性を付与したヒンジ連結物とすることもできる。本実施の形態では樹脂成形品として軽量、安全、安価なものとしてあり、ソフトアクリル樹脂などとすれば環境にやさしいものともなる。着脱口６ａの開口幅は基部３の直径に対し小さいほど脱落が防止しやすい半面着脱がし難くなる関係にあるが、ストッパ６の弾性復元力との兼ね合いで適正設計ができる。
【００２４】
また、基部３上の引っ掛かり部３ａは、どのようにも設けられるが、図示例では、基部３の基端環２が連結される基端に通常形成されるフランジ部を利用したものとしてある。従って、特別な改良の必要はない。
【００２５】
さらに、ストッパ６には、図１〜図３に示すように、後退操作部５ａとの当接端６ｂに、後退操作部５ａで基部３周方向に係合して基部３まわりでのまわり止めをする切り欠き形状部６ｃが設けられている。これにより、ストッパ６を本体１０の基部３に装着して、基部３のまわりで基端側引っ掛かり部３ａと係止ピン５の後退操作部５ａとの間で突っ張らせ、係止ピン５の後退を阻止するのに、その切り欠き形状部６ｃを係止ピン５の構体操作部５ａに基部３周方向に係合させることで、ストッパ６は基部３まわりに回り止めされて、外力を受けることがあっても周方向に位置ずれしたり、ストッパ機能が不良となったり、脱落するようなことはない。
【００２６】
また、係止ピン５の後退操作部５ａは、図１〜図３に示すようにストッパ６の当接端６ｂと基部３との間に挟み込むように係合する切り欠き部５ｂを有したものとしている。これにより、ストッパ６本体１０の基部３に装着して、基部３のまわりで基端側引っ掛かり部３ａと係止ピン５の後退操作部５ａとの間で突っ張り、係止ピン５の後退を阻止するのに、ストッパ６は、係止ピン５の後退操作部５ａとの係合によって本体１０の基部３への装着位置から浮くのを防止される。この結果、ストッパ６に取り外し方向の外力が働いても後退操作部５ａに押さえ力にてそれによく抗し脱落するのを防止することができる。
【００２７】
図示する例では、切り欠き形状部６ｃおよび切り欠き部５ｂを併用しているので、ストッパ６の装着状態への安定性がより高まるし、それらがストッパ６の当接端６ｂの周方向一か所で働かせていることも装着保持力が分散することによる不安定性を回避して、ストッパ６の装着の安定性をさらに高めている。
【００２８】
また、ストッパ６は、図１〜図３に示すように、動物用連結具１の一部と索条２３で連結されたものとしている。このように、ストッパ６が動物用連結具１の一部に連結されていることで不用意に単独部品となるのを防止されるので紛失しにくくなるし、連結が索条２３によるので、屈曲性を利用してストッパ６を本体１０の基部３に着脱するのを邪魔されないので使用しやすいものとなる。このような索条は図示する例ではボールチェンとしているが、引っ張りに強い既に知られる樹脂や紐条などその他のものでもよい。さらに、この索条２３との連結は、ストッパ６の着脱口６ａの開放縁の一方の一部からの張り出し部６ｄにて連結穴６ｆを利用してなされている。これにより、ストッパ６が本体１０の基部３への着脱域から外れて動物用連結具１に連結されるので、動物用連結具１との連結部がストッパ６の本体１０の基部３への着脱によって特別な外力を受けないし、ストッパ６の索条２３との連結部が着脱口６ａの開放縁の一方の一部からの張り出し部６ｃであることにより、索条２３との連結部がストッパ６の本体１０の基部３への着脱を邪魔することはない。
【００２９】
しかも、張り出し部６ｃは、着脱口６ａの一方の開放縁の途中位置にあることによって、ストッパ６の基端側引っ掛かり部３ａおよび後退操作部５ａへのツッパリ位置双方から離れて位置し、前記突っ張りないしは突っ張りの解除を伴うストッパ６の基部３への着脱操作の邪魔になることはない。さらに、ストッパ６の着脱口６ａは基部３の半径部を装着側に越える位置から基部３の側周面から離れていく状態で開放されることで、ストッパ６が反着脱口６ａ側から着脱口６ａに至るまで基部３の側周に密着する場合よりも、同等の開放幅にて着脱抵抗が小さくなり、脱落防止機能が同じで着脱がより容易になる。
【図面の簡単な説明】
【００３０】
【図１】本発明の実施の形態に係る動物用連結具の１つの例を示す斜視図である。
【図２】図１の動物用連結具のストッパ装着状態を示す正面図である。
【図３】図１の動物用連結具のストッパ装着状態を示す背面面図である。
【図４】図１の動物用連結具の首輪との連結状態を示す正面図である。
【図５】従来の動物用連結具の首輪との連結状態を示す斜視図である。
【図６】図５の従来の動物用連結具の不用意な外力によるフック部の日かき状態を示す斜視図である。
【図７】図５の従来の動物用連結具を利用した犬の係留状態を示す斜視図である。
【符号の説明】
【００３１】
１  動物用連結具
２  基端環
３  基部
３ａ  引っ掛かり部
４  フック部
４ａ  先端部
４ｂ  開放部
５  係止ピン
５ａ  後退操作部
５ｂ  切り欠き部
６  ストッパ
６ａ  着脱口
６ｂ  当接端
６ｃ  切り欠き形状部
６ｄ  張出し部
１０  本体
２１  首輪
２２  連結部
２３  索条
【図１】
2010081902.tif 000003
【図２】
2010081902.tif 000004
【図３】
2010081902.tif 000005
【図４】
2010081902.tif 000006
【図５】
2010081902.tif 000007
【図６】
2010081902.tif 000008
【図７】
2010081902.tif 000009